(57)【要約】      （修正有）【課題】二次電池への充電を効率化し、省エネ構成の二次電池駆動型ＰＬＣを提供することを提供する。【解決手段】プログラマブルコントローラは、太陽電池等の直流電圧を生成する第１の直流電源装置と、商用電源から直流電圧を生成する第２の直流電源装置と、これら直流電源装置がそれぞれ生成する直流電圧の大小を比較し、電圧が大きい方の直流電源装置を二次電池充電用電源装置に選択して切り換える電源切換手段と、この切り換え手段で切り換えた直流電源装置からの電圧を二次電池に充電する電圧に調整すると共にその調整した電圧で二次電池を充電する充電手段と、を具備している。【選択図】図１
2010206960.tif 000002
【特許請求の範囲】
【請求項１】
充電可能な二次電池で駆動し得るプログラマブルコントローラであって、
太陽電池等の直流電圧を生成する第１の直流電源と、商用電源から直流電圧を生成する第２の直流電源と、これら直流電源がそれぞれ生成する直流電圧の大小を比較し、電圧が大きい方の直流電源を二次電池充電用電源に選択して切り換える電源切換手段と、この切り換え手段で切り換えた直流電源からの電圧を二次電池に充電する電圧に調整すると共にその調整した電圧で二次電池を充電する充電手段と、を具備したことを特徴とするプログラマブルコントローラ。
【発明の詳細な説明】
【技術分野】
【０００１】
本発明は、二次電池を太陽電池等で充電可能とし、その二次電池で駆動可能な構成を備えた二次電池駆動型プログラマブルコントローラ（以下、ＰＬＣという）に関するものであり、特に、二次電池への充電に関して省エネ構成としたＰＬＣに関するものである。
【背景技術】
【０００２】
ＰＬＣは、ユーザ作成プログラムにより機械や装置等を制御することができるものであり、広く使用されている。そして、このＰＬＣにＣＰＵ、メモリ、入出力部、電源部、等を備え、上記各部をひとつのハウジングに収容した一体型や、上記各部を電源モジュール、ＣＰＵモジュール、Ｉ／Ｏモジュール等の各モジュールにして組み合わせたビルディングブロック型などが知られている。これら各部は例えば直流５Ｖや１２Ｖあるいは２４Ｖの供給で作動するものが多く、そのため、上記電源部では、外部電源として商用電源を用いると共にこの商用電源をＡＣ／ＤＣ変換し、さらに直流電圧の種類に応じたＤＣ／ＤＣ変換を行って所要の直流を得てＰＬＣ内各部に供給するようにしている。また、ＰＬＣを制御盤に固定するのではなく携帯型等に用いる場合、商用電源ではなく使用に伴う電圧低下に対して充電が必要な二次電池を電源としたＰＬＣもある。二次電池への充電に要する期間は長く、また、その充電電圧が所定電圧以上にならない限り、ＰＬＣは使用することができない。
【０００３】
そこで、本願出願人は、この種の二次電池駆動型ＰＬＣにおいて、二次電池への充電を効率化し、省エネ構成となるＰＬＣの開発を鋭意行った。
【先行技術文献】
【特許文献】
【０００４】
【特許文献１】特開２００４−０７８３２６号公報
【発明の概要】
【発明が解決しようとする課題】
【０００５】
本発明により解決すべき課題は、二次電池への充電を効率化し、省エネ構成の二次電池駆動型ＰＬＣを提供することである。
【課題を解決するための手段】
【０００６】
本発明によるＰＬＣは、太陽電池等の直流電圧を生成する第１の直流電源と、商用電源から直流電圧を生成する第２の直流電源と、これら直流電源がそれぞれ生成する直流電圧の大小を比較する比較手段と、電圧が大きい方の直流電源を二次電池充電用電源として選択切り換える電源切換手段と、この切り換え手段で切り換えた直流電源からの電圧を二次電池に充電する電圧に調整すると共にその調整した電圧で二次電池を充電する二次電池充電手段と、を具備したことを特徴とするものである。
【０００７】
本発明によるＰＬＣは、上記一体型、ビルディングブロック型とを問わず、適用することができる。
【発明の効果】
【０００８】
本発明によれば、太陽電池等から二次電池を充電することができるので、電力消費を抑制することができると共に、夜間等で太陽電池等から直流電圧を得られないときでも、商用電源から二次電池を充電することができるので、二次電池への充電を効率化し、省エネ構成の二次電池駆動型ＰＬＣを提供することができる。
【図面の簡単な説明】
【０００９】
【図１】図１は本発明の実施の形態に係るＰＬＣとそれに対する電源とを示す図である。
【図２】図２は図１のＰＬＣをより詳細に示す図である。
【発明を実施するための形態】
【００１０】
以下、添付した図面を参照して、本発明の実施の形態に係るＰＬＣを説明する。図１は同ＰＬＣを示し、同図を参照して、１はＰＬＣ、２は太陽電池パネル、３は商用電源である。ＰＬＣ１は、電源部４、ＣＰＵ５、メモリ６、およびＩ／Ｏ部７を有する。太陽電池パネル２の種類は何でもよく、特定の太陽電池パネルに限定されない。太陽電池は、光起電力効果を利用し光エネルギを電力に変換するものである。太陽電池パネル２は、そのような太陽電池を複数枚直並列接続して必要な電圧と電流を得られるようにしたパネル状あるいはモジュール状のものである。実施の形態では太陽電池パネル２であるが、パネル形態には限定されず、モジュールをさらに複数直並列接続して必要となる電力が得られるように設置した太陽電池アレイと称するものも含む。また、ＰＬＣ１の上記構成は一例にすぎず、上記に限定されない。
【００１１】
図２を参照して電源部４を中心としてこのＰＬＣ１を説明する。
【００１２】
電源部４は、商用電源３を内部でＡＣ／ＤＣ変換するＡＣ／ＤＣ変換部４ａと、ＡＣ／ＤＣ変換部４ａから直流電圧の種類に応じたＤＣ／ＤＣ変換を行って所要の直流を得てＰＬＣ内各部に供給するＤＣ／ＤＣ変換部４ｂと、を有する。
【００１３】
電源部４はまた、二次電池４ｃを内蔵しており、この二次電池４ｃを太陽電池パネル２からの直流電圧で充電可能となっており、この二次電池４ｃの電圧をＤＣ／ＤＣ変換部４ｂでＤＣ／ＤＣ変換してＰＬＣ１内各部５−７に供給することができるようになっている。
【００１４】
そして、実施の形態では、太陽電池パネル２（第１直流電源）からの直流電圧と、ＡＣ／ＤＣ変換部４ａ（第２直流電源）からの直流電圧との大小を比較する比較部４ｄと、電圧が大きい直流電源側を二次電池充電用電源装置としてそれに選択して切り換える電源切換部４ｅと、この電源切換部４ｅで切り換えた直流電圧を二次電池４ｃに充電する電圧に調整すると共にその調整した電圧で二次電池を充電する充電部４ｆと、を具備している。電源切換部４ｅは比較部４ｄ出力に応答して接点ｃ１が個別接点ｓ１，ｓ２に切り換わるようになっている。この接点からなる電源切換部４ｅは接点で示したが、トランジスタで構成することができる。
【００１５】
この二次電池４ｃの電圧は、ＤＣ／ＤＣ変換部４ｂで所要の直流電圧に変換されてＰＬＣ内各部５−７に供給されるようになっている。
【００１６】
以上から本実施の形態では、電源部４において、二次電池４ｃの直流電圧をＤＣ／ＤＣ変換部４ｂでＤＣ／ＤＣ変換し、このＤＣ／ＤＣ変換にて得られる直流電圧でＰＬＣ１内各部を駆動することができる一方、二次電池４ｃの充電電圧が低いときは、商用電源３の電圧をＡＣ／ＤＣ変換部４ａでＡＣ／ＤＣ変換し、さらにＤＣ／ＤＣ変換部４ｂでＤＣ／ＤＣ変換して得られる直流電圧でＰＬＣ１内各部を駆動することができる。
【００１７】
これにより、実施の形態では、太陽電池パネル２から二次電池４ｃを充電することができるので、電力消費を抑制することができると共に、夜間等で太陽電池パネルから直流電圧を得られないときでも、商用電源３から二次電池４ｃを充電することができるので、二次電池４ｃを用いたＰＬＣ１の使用上の便利さを増すことができる。
【符号の説明】
【００１８】
１  ＰＬＣ
４  電源部
４ａ  ＡＣ／ＤＣ変換部
４ｂ  ＤＣ／ＤＣ変換部
４ｃ  二次電池
４ｄ  比較部
４ｅ  電源切換部
４ｆ  二次電池充電部
５  ＣＰＵ
６  メモリ
７  Ｉ／Ｏ部
２  太陽電池パネル
３  商用電源
【図１】
2010206960.tif 000003
【図２】
2010206960.tif 000004